(57)【特許請求の範囲】
【請求項１】
端末機器（２）に伝送される移動無線メッセージ（４）、とりわけショートメッセージ（ＳＭ）を管理するための方法であって、
前記メッセージ（４）には基準情報（５）が結合されており、
該基準情報（５）が端末機器（２）の前記処理ユニット（７）によって、有効基準を満たしているか否かについて検査され、
満たしている場合には前記メッセージ（４）が不揮発性メモリ（６）に記憶され、
以前に記憶されていたメッセージ（４）の基準情報が、後の時点で無効になる場合には当該メッセージ（４）が不揮発性メモリから消去される方法において、
前記基準情報（５）が有効基準を満たしているか否かについてのメッセージ（４）の検査を、
・時刻により開始するか、または
・イベントにより開始するか、または
・移動無線ネットワークを介して遠隔操作で開始するか、またはこれらの組み合わせによって開始する、
ことを特徴とする方法。
【請求項２】
メッセージ（４）と結合された前記基準情報（５）が、端末機器（２）の処理ユニット（７）によってソート基準について検査され、
該ソート基準にしたがって、前記メッセージ（４）のメモリスペースへの割当て、または前記端末機器（２）の表示フィールド上の位置への割当てが制御される、請求項１記載の方法。
【請求項３】
不揮発性メモリ（６）を有する端末機器（２）に伝送される移動無線メッセージ（４）、とりわけショートメッセージ（ＳＭ）を管理する装置であって、
端末機器（２）の処理ユニット（７）で検査プログラムが実行され、
該処理ユニット（７）は検査プログラムにしたがって、基準情報（５）が結合されたメッセージ（４）を、基準情報（５）が有効基準を満たしているか否かについて検査し、満たしていて有効な場合にはメッセージ（４）を不揮発性メモリ（６）に記憶し、
以前に記憶されていたメッセージ（４）の基準情報が、後で無効になる場合は不揮発性メモリ（６）から消去する装置において、
前記基準情報（５）が有効基準を満たしているか否かについてのメッセージ（４）の検査を、
・時刻により開始するか、または
・イベントにより開始するか、または
・移動無線ネットワークを介して遠隔操作で開始するか、またはこれらの組み合わせによって開始する、
ことを特徴とする装置。
【請求項４】
前記処理ユニット（７）は検査プログラムにしたがって、メッセージ（４）と結合された前記基準情報（５）をソート基準について検査し、前記メッセージ（４）のメモリスペースへの割当て、または前記端末機器（２）の表示フィールド上の位置への割当てを制御する、請求項３記載の装置。
【請求項５】
前記処理ユニット（７）は、端末機器（２）またはチップカードモジュール（ＳＩＭ）（３）の構成部材である、請求項３または４記載の装置。
【請求項６】
不揮発性メモリ（６）は、端末機器（２）またはチップカードモジュール（ＳＩＭ）（３）の構成部材である、請求項３から５までのいずれか一項記載の装置。
【発明の詳細な説明】
【技術分野】
【０００１】
本発明は、独立請求項１に記載された上位概念から出発するものである。
【０００２】
移動無線端末機器にはチップカードが加入者識別モジュール（ＳＩＭ）として使用される。チップカードはネット加入者の識別および認証の他に、例えば呼出し番号またはテキスト形式のショートメッセージに対する携帯データメモリの役目も引き受ける。このショートメッセージはいわゆるショートメッセージサービス（ＳＭＳ）により伝送され、１６０文字までを含むことができる。
【０００３】
択一的にショートメッセージを端末機器に記憶することもできるが、この場合、ショートメッセージをチップカードモジュールと共に種々異なる端末機器で使用できるという利点が失われる。
【０００４】
チップカードモジュール上での不揮発性メモリスペースは制限されており（１６...３２ｋバイト以下）、別のデータおよび関数もこのメモリにファイルされているから、チップカードモジュール上に記憶可能なショートメッセージの数は制限される。この数は通常、約１０から２０の領域にある。端末機器に対してはチップカードモジュールとは反対に、メモリ量に対する技術的上限は存在せず、ここでは端末機器のリソースの経済的設計がショートメッセージに対するメモリ量の制限につながる。メモリが完全に占有された場合には、ユーザはチップカードモジュール上でも、端末機器でも手動で不要なショートメッセージを消去しなければならない。このためには通常、面倒な操作フローが必要である。
【０００５】
数年前から、とりわけＳＭＳを介していわゆる付加価値サービスが提供されている。これは例えば交通情報および旅行情報またはモバイルバンキング（口座引き出し）である。このようなサービスと関連して、受信されるショートメッセージの数も将来は格段に上昇し、したがってショートメッセージを消去するためにユーザ操作がますます必要になるであろう。
【０００６】
ショートメッセージを受信するためにユーザの操作は必要ないから、ユーザが気付くことなしにメモリが一杯になることがある。とりわけメモリが完全に占有されている場合には、さらなるメッセージを受信することができないから、ユーザが本当に所望するショートメッセージが届かないこともある。
【発明の概要】
【発明の効果】
【０００７】
本発明により、端末機器またはチップカードモジュールに記憶されたメッセージが自動的に管理され、ユーザが手動で管理することから大幅に解放される。所定の有効基準を満たさないメッセージは消去されるか、または最初から記憶されないから、不揮発性メモリが管理されずに完全に占有されるという事態が回避され、ユーザに新たなメッセージがメモリが一杯であるために到達しないということが生じない。メッセージの消去は、注目すべきメッセージを見やすくするためにも用いることができる。
【０００８】
補充的にメッセージの管理にはソーティングを含めることもできる。これによりメッセージをソート基準、例えば優先度に応じて記憶および／または表示し、これによりユーザが容易に識別できるようにすることができる。最重要のメッセージまたは最新のメッセージは表示フィールドの最上位部に表示することができる。
【０００９】
基準情報ならびに有効基準および／またはソート基準として、時間データ、空間的データ、メッセージの起源、内容または重要度についてのデータを用いることができる。このことにより非常にインテリジェントで快適なメッセージ管理が可能である。このメッセージ管理は個人的希望にも適合することができ、後での管理への手動介入をほぼ不要とする。
【００１０】
メッセージ管理には一般的優先度または個人的優先度があっても良い。一般的優先度とは、例えば交通情報における重要度である。危険通報、例えば「注意、逆走車」は、警報通報、例えば「濃霧」よりも高い優先度を有する。個人的優先度はユーザの個人的関心により形成することができる。例えばあるユーザに対してはスポーツ通報は株式通報よりも重要であり、また別のユーザに対してはその反対である。
【００１１】
端末機器でのメッセージ管理は端末機器自体から、チップカードモジュールから、または遠隔制御で移動無線網を介して行うことができる。後者の択一的手段はとりわけ一般的優先度に対して提供される。例えば大事件の間、この地域での交通指示に対する優先度を高めることができる。
【００１２】
本発明の有利な改善形態は従属請求項に記載されている。
【００１３】
本発明の実施例が図面に示されており、以下詳細に説明する。
【図面の簡単な説明】
【００１４】
【図１】図１は、機能ブロックを有する移動無線端末機器の概略図である。
【図２】図２は、管理のフローチャートである。
【発明を実施するための形態】
【００１５】
図１は移動無線端末機器２を示す。この移動無線端末機器は移動無線ネットワーク１にログインし、ショートメッセージ４を受信する。移動無線端末機器２のホルダにはチップカードモジュール３が挿入される。チップカードモジュールは不揮発性メモリ６を有している。この不揮発性メモリ６はショートメッセージの記憶に適する。
【００１６】
ショートメッセージ４は、この実施例では一般的には不揮発性メモリ６には格納されず、その優先度検査に合格してから格納される。この検査を可能にするため、ショートメッセージの構成部分として、または付加部分として基準情報５が伝送される。処理ユニット７はこの基準情報を、有効基準に基づいて解釈および検査する。有効基準が満たされると、ショートメッセージ４は基準情報５と共に不揮発性メモリ６にファイルされる。時間間隔をおいて、またはイベントの発生時に、前もって記憶されたショートメッセージを検査することもできる。有効基準が満たされなければ、該当するショートメッセージ４は自動的に不揮発性メモリ６から除去される。
【００１７】
図２は管理のフローチャートを示す。時間設定またはイベントの発生により検査トリガ８が作用し、到来したショートメッセージまたは記憶されたショートメッセージの有効性検査９が開始される。ここではショートメッセージの構成部分である基準情報１１が有効基準１２と比較される。有効基準１２が満たされると、ショートメッセージが有効であり、記憶され、後で検査トリガ８が作動されるときに再検査される。有効基準１２が満たされなければ、ショートメッセージは無効であり、記憶されないか、または前もって記憶された場合にはメモリ１０から消去される。有効基準１２の他にソート基準を設けることもできる。このソート基準にしたがって、メモリスペースへの割当てまたは表示フィールド上の位置への割当てが制御される。
【００１８】
有効基準／ソート基準は、時間的基準、例えば時間空間、限界、空間的基準、例えば予選択、または他のショートメッセージのメモリ内での存在ないし非存在とすることができる。
【００１９】
時間的基準は、ショートメッセージ中の時間的基準情報で、またはショートメッセージの受信時点で検査でき、例えば１週間以上古いすべてのショートメッセージを自動的に消去できる。
【００２０】
空間的基準は移動無線セルまたは移動無線セルのリストとすることができる。このためにチップカードモジュールは、どのセルにこの端末機器が存在しているかという情報を端末機器に問い合わせることができる。しかし空間的基準は相応の固定網地域の予選択番号とすることができる。例えば０５１２１がヒルデスハイムに対する番号である。または予選択番号のリストまたは予選択番号の群（例えば０５で始まるすべての予選択番号に対して０５＊）とすることができる。別の情報、例えば都市、地域、例えばハルツ、ベーゼルベルグランド、または州を端末機器またはチップカードモジュールで相応に変換する場合には考えられるが、面倒である。
【００２１】
基準の検査は同様に時間的に「２時間おき」でトリガすることができる。空間的基準は「セルが変化するたび」にイベントトリガすることができ、「メモリが一杯になったとき、および新たなショートメッセージを受信するとき」またはそれらの組合せとすることができる。すべてのショートメッセージを、ユーザアクション「無効なショートメッセージすべての消去」により自動的に有効性検査することも考えられる。
【００２２】
有効性検査／ソーティングはショートメッセージが記憶されているユニット、すなわち端末機器またはチップカードモジュールで直接行うことができる。これはまた端末機器によりチップカードモジュールに対して、またはチップカードモジュールにより端末機器に対して実行することができる。有効性検査の開始または複数のショートメッセージの所期の消去も移動無線ネットワークを介して行うことが考えられる。
【図１】
0005550620.tif 000002
【図２】
0005550620.tif 000003